(57)【要約】【課題】コンテンツの新旧の違いやキーワードの違いを容易に認識することを可能として、所望のコンテンツを容易にかつ的確、迅速に見つけ出すことができるようにする。【解決手段】コンテンツ情報表示画面１４ａでは、しおり情報が最も新しく形成された代表コンテンツＡのアイコンを中心部Ｐに表示し、このアイコンから、この代表アイコンのキーワードのうちの重み付けが多き違法から所定の個数のキーワードに対するキーワード軸１５ａ〜１５ｅを伸延させて表示し、この代表コンテンツ以外のしおり情報の形成日時が新しい順に所定個数のコンテンツＢ〜Ｅについて、そのコンテンツのキーワードのうちで重み付けが最大のキーワードに該当するキーワード軸に沿って、そのアイコンを配列表示する。【選択図】図５
2008252530.tif 000002
【特許請求の範囲】
【請求項１】
コンテンツの受信手段と、該受信手段で受信したコンテンツなどを表示する表示手段と、該受信手段で受信したコンテンツに対して該コンテンツに関連するキーワードを作成し、該コンテンツに関連付けたしおり情報としてメモリに保持させる手段とを備えたコンテンツ表示装置において、
該表示手段に、該しおり情報が作成された日時が最も新しいコンテンツを代表コンテンツとし、該代表コンテンツのアイコンを中心として、該代表コンテンツの該キーワード毎に該アイコンから伸延するキーワード軸を表示するとともに、
該代表コンテンツ以外のコンテンツのアイコンを、該コンテンツの最大の重み付けがなされているキーワードに該当する該キーワード軸に、該しおり情報が作成された日時が新しい順に配列して表示することを特徴とするコンテンツ表示装置。
【請求項２】
請求項１において、
表示される前記キーワード軸は、前記代表コンテンツのキーワードのうち、重み付けが大きい順に設定された個数のキーワードに対するものであることを特徴とするコンテンツ情報表示装置。
【請求項３】
請求項１において、
前記キーワード軸に沿ってアイコンの総数は、設定された個数であって、
かつ該コンテンツに作成された前記キーワードのうちの最大の重み付けが最も大きいキーワードに対応した前記キーワード軸に前記アイコンを表示することを特徴とするコンテンツ情報表示装置。
【請求項４】
請求項１において、
前記表示手段の中心に表示される前記アイコンを、前記キーワード軸に沿ってアイコンが表示される前記コンテンツのうちのいずれかの前記コンテンツのアイコンに変更可能とする手段を設けたことを特徴とするコンテンツ情報表示装置。
【請求項５】
請求項１〜４のいずれか１つにおいて、
前記キーワード軸に沿って前記アイコンが表示される前記コンテンツの個数を変更する手段を設けたことを特徴とするコンテンツ情報表示装置。
【請求項６】
請求項５において、
前記表示画面にアイコンを表示する前記コンテンツの個数を１個と設定したとき、前記表示画面の中心部に前記アイコンを、該アイコンに該当する前記コンテンツの前記キーワードとともに、表示することを特徴とするコンテンツ情報表示装置。
【請求項７】
請求項１〜５のいずれか１つにおいて、
前記キーワード軸の表示個数を変更する手段を設けたことを特徴とするコンテンツ情報表示装置。
【請求項８】
請求項１〜７のいずれか１つにおいて、
時間軸に沿って前記コンテンツのアイコンを設定される個数表示する表示モードを選択する手段を設けたことを特徴とするコンテンツ情報表示装置。
【請求項９】
請求項１〜７のいずれか１つにおいて、
前記しおり情報の作成の日時が新しい順の予め決められた個数の前記コンテンツのアイコンを地図上の表示する表示モードを選択する手段を設けたことを特徴とするコンテンツ情報表示装置。
【発明の詳細な説明】
【技術分野】
【０００１】
本発明は、据付けのＴＶ（テレビ）受像機や車載のＴＶ受像機，ＰＣ（パーソナルコンピュータ）や携帯端末機器などでのコンテンツ情報表示装置に係り、特に、希望するコンテンツの選択機能を備えたコンテンツ情報表示装置に関する。
【背景技術】
【０００２】
ユーザは、好みの番組が放送されるとき、後日、もしくは再度これを視聴できるように、記録媒体に記録しておく方法が採られることが一般に行なわれる。しかし、記録媒体の記録容量が増加し、また、画像圧縮技術が利用して多くのコンテンツの記録が可能となったとして、数多くのコンテンツを記録できるようになったとしても、記録媒体に多種，多様のコンテンツを記録した場合、その中から希望するコンテンツを探し出すことは容易なことではない。
【０００３】
一方、このような場合でも、希望するコンテンツを容易に見つけ出すことができるようにした技術が提案されている（例えば、特許文献１参照）。
【０００４】
この特許文献１に記載の技術は、各コンテンツをアイコンで代表させ、夫々のアイコンを三次元的に配列して表示するとともに、その三次元空間をジャンルに応じて区分し、コンテンツのジャン夫々のアイコンをそのコンテンツが該当するジャンルの空間に区分して画面表示するものである。
【特許文献１】特開２００６ー２１７６２７号公報
【発明の開示】
【発明が解決しようとする課題】
【０００５】
ところで、上記特許文献１に記載の技術では、各コンテンツのアイコンが、これらコンテンツのジャンルに応じた領域に区分されて表示されるものであるが、録画日時が新しいコンテンツも古いコンテンツも表示され、しかも全てのコンテンツが該当するジャンルに区分されるため、最新のコンテンツを探し出す場合、全ての領域に表示されるアイコンの内容をみて判断しなければならず、そのための手間と時間を要することになる。
【０００６】
また、各領域も境界で隣接して設けられることになるので、アイコンが領域毎に区分されているとしても、アイコンは、そのコンテンツのジャンルが異なるとしても、ジャンルが異なるアイコンが近接して表示されることになり、ジャンルの違いを認識するのにも、手間がかかることになる。
【０００７】
本発明の目的は、かかる問題を解消し、コンテンツの新旧の違いやキーワードの違いを容易に認識することを可能として、所望のコンテンツを容易にかつ的確、迅速に見つけ出すことができるようにしたコンテンツ情報表示装置を提供することにある。
【課題を解決するための手段】
【０００８】
上記目的を達成するために、本発明は、コンテンツの受信手段と、該受信手段で受信したコンテンツなどを表示する表示手段と、該受信手段で受信したコンテンツに対して該コンテンツに関連するキーワードを作成し、該コンテンツに関連付けたしおり情報としてメモリに保持させる手段とを備えたコンテンツ表示装置において、該表示手段に、該しおり情報が作成された日時が最も新しいコンテンツを代表コンテンツとし、該代表コンテンツのアイコンを中心として、該代表コンテンツの該キーワード毎に該アイコンから伸延するキーワード軸を表示するとともに、該代表コンテンツ以外のコンテンツのアイコンを、該コンテンツの最大の重み付けがなされているキーワードに該当する該キーワード軸に、該しおり情報が作成された日時が新しい順に配列して表示することを特徴とするものである。
【０００９】
また、本発明は、表示される前記キーワード軸は、前記代表コンテンツのキーワードのうち、重み付けが大きい順に設定された個数のキーワードに対するものであることを特徴とするものである。
【００１０】
また、本発明は、前記キーワード軸に沿ってアイコンの総数は、設定された個数であって、かつ該コンテンツに作成された前記キーワードのうちの最大の重み付けが最も大きいキーワードに対応した前記キーワード軸に前記アイコンを表示することを特徴とするものである。
【００１１】
また、本発明は、前記表示手段の中心に表示される前記アイコンを、前記キーワード軸に沿ってアイコンが表示される前記コンテンツのうちのいずれかの前記コンテンツのアイコンに変更可能とする手段を設けたことを特徴とするものである。
【００１２】
また、本発明は、前記キーワード軸に沿って前記アイコンが表示される前記コンテンツの個数を変更する手段を設けたことを特徴とするものである。
【００１３】
また、本発明は、前記表示画面にアイコンを表示する前記コンテンツの個数を１個と設定したとき、前記表示画面の中心部に前記アイコンを、該アイコンに該当する前記コンテンツの前記キーワードとともに、表示することを特徴とするものである。
【００１４】
また、本発明は、前記キーワード軸の表示個数を変更する手段を設けたことを特徴とするものである。
【００１５】
また、本発明は、時間軸に沿って前記コンテンツのアイコンを設定される個数表示する表示モードを選択する手段を設けたことを特徴とするものである。
【００１６】
また、本発明は、前記しおり情報の作成の日時が新しい順の予め決められた個数の前記コンテンツのアイコンを地図上の表示する表示モードを選択する手段を設けたことを特徴とするものである。
【発明の効果】
【００１７】
本発明によると、各コンテンツが、キーワードに明確に区分して、しかも、新しい順に関連付けて表示されるので、希望するコンテンツを容易かつ的確に、しかも、迅速に見つけ出すことが可能となる。
【００１８】
また、本発明によると、コンテンツの区分の形態を選択できるから、ユーザは好みの認識し易い区分の形態（表示モード）でコンテンツを検索でき、希望するコンテンツを容易かつ的確に、しかも、迅速に見つけ出すことが可能となる。
【発明を実施するための最良の形態】
【００１９】
以下、本発明の実施形態を図面を用いて説明する。  
図１は本発明によるコンテンツ情報表示装置の一実施形態の構成を概略的に示すブロック図であって、１はこの実施形態のコンテンツ情報表示装置、２は入力部、３は表示部、４は記憶部、５はＣＰＵ（Central Processing Unit）、６はＧＰＳ(Grobal Positionig System)部、７は通信部、８はチューナである。
【００２０】
同図において、コンテンツ情報表示装置１は、操作部（図示せず）のしおりボタン９などの操作ボタンなどの操作による操作信号を入力する入力部２と、受信中の番組や再生される録画番組などのコンテンツや番組検索のための画像を表示する表示部３と、地図情報や後述するコンテンツの内容に関連したキーワード，受信番組や録画番組のタイトルやチャンネル名などの情報（以下、属性情報という），後述するしおりボタン９でしていされたコンテンツのしおり情報などを記憶したメモリ４，現在日時を表わす時間情報を提供する時計部５，コンテンツ情報表示装置の現在位置を表わす位置情報を提供するＧＰＳ部６，ネットワーク（図示せず）を介して外部機構部と通信を行なうための通信部７，放送番組を受信するチューナ８及びこれらを制御し、また、画像表示なとのための各種の処理を行なうＣＰＵ１０を備えている。なお、受信番組を録画し、再生するメモリを備えていてもよいし、また、ＧＰ部６は車載用のＴＶ受像機や携帯機器などに対して用いられるものであって、据え付けて用いられるＴＶ受像機やＰＣなどに対しては、必ずしも必要がない。
【００２１】
しおりボタン９は、表示部３で表示されるコンテンツ（放送番組や再生される録画番組など）がユーザの気に入ったものであるとき、これを指定して記憶させておくためのものであって、このしおりボタン９を操作することにより、ＣＰＵ１０は、メモリ４からこのコンテンツに関する情報を読み取ってしおり情報を作成し、メモリ４に記憶させる。この場合、このようにしおり情報が作成される番組は、表示部３でその開始からある程度時間が経過し、ユーザが後日再度視聴したいと思ったときしおりボタン９が操作されるものであり、これにより、この時点でしおり情報が作成される。
【００２２】
かかるしおり情報を用いて、後述するように、番組の検索画面が作成されて表示され、これによって所望の番組を検索することができる。検索された番組は、これに該当するしおり情報を用いることにより、外部から、通信部７を介して、取得することができ、表示部３で表示させることができる。しおりボタン９が操作されたときには、表示される番組はある程度時間が経過しており、これを録画したのでは、途中から録画されることになる。しかし、かかる方法によると、既に放送した番組を提供できるサーバを形成しておくことにより、このサーバに検索した番組のしおり情報を送ることにより、このサーバからかかるコンテンツを取得することができる。
【００２３】
キーワードとしては、「秋」や「春」といったような季節を表わすもの，「京都」や「北海道」といったような場所を表わすもの，「グルメ」や「温泉」といったような趣向を表わすもの，「旅」や「ツアー」，「運動会」といったような催しものを表わすものなどがあり、コンテンツには、しおりボタン９が操作されたときのキーワードが設定されることになる。キーワードとしては、これらのみに限られるものではなく、例えば、その他のキーワードとしては、「人物」，「乗り物」なども用いることができる。また、コンテンツに設定されるキーワードは２以上であってもよく、２以上であるときには、これらキーワードに重み付けがなされる。例えば、秋のツアーに関するコンテンツであるとき、「秋」と「ツアー」のキーワードがこのコンテンツが設定されることになるが、しおりボタン９が操作されたときの表示画面の状態から、秋よりもツアーにウェイトがある場合には、「ツアー」のキーワードが「秋」のキーワードよりも重み付けが強いということになる。
【００２４】
なお、かかるキーワードは、例えば、コンテンツが放送されているとき、コンテンツとともに提供元（例えば、放送局）から提供されるものであり、あるいは提供元から予め提供されたものであって、また、コンテンツの時間経過とともに内容が変化すると、これに伴って提供されるキーワードの重みも変化する。チューナ８では、コンテンツとともにかかるキーワードも受信するが、変化することによって提供元から変化したキーワードが送信すると、これを受信してメモリ４に記憶させる。
【００２５】
あるいはまた、かかるキーワードはサーバに保存されており、しおりボタンが操作されたとき、そのとき視聴しているコンテンツのキーワードをこのサーバから取得するようにしてもよい。このとき提供されるキーワードは、このコンテンツのそのときのシーンなどに応じて重み付けがなされている。
【００２６】
図２はかかるキーワードなどを用いて形成された各コンテンツＡ，Ｂ，Ｃ，……のしおり情報のリストを模式的に示す図であって、時計部５から得られるしおりボタン９が作成された日時を示す時間情報と、コンテンツ内のシーンなどの場所を表わす位置情報やそれ以外の後述する情報によるキーワードからなるものであって、位置情報以外のキーワードについて、重み付けが最大のキーワードをＮｏ．１とし、重み付けが大きい順にＮｏ．２，Ｎｏ．３，……としている。
【００２７】
ここで、このように、しおりボタン９が操作されてしおり情報が付されたコンテンツは、そのしおり情報が付された日時（時間情報で表わされる日時）が新しい順に順位が設定されている。図２では、コンテンツＡが最も早い順位とし（かかるコンテンツＡを、以下、代表コンテンツという）、以下、コンテンツＢ，Ｃ，Ｄ，……の順に順位が低くなっていくものとしている。また、コンテンツＡについては、Ｎｏ．１のキーワード「あ」とＮｏ．２のキーワード「い」，Ｎｏ．３のキーワード「う」が設定されているものとし、コンテンツＢについては、Ｎｏ．１のキーワード「あ」とＮｏ．２のキーワード「い」，Ｎｏ．４のキーワード「か」，Ｎｏ．５のキーワード「き」が設定されているものとし、コンテンツＣについては、Ｎｏ．１のキーワード「あ」とＮｏ．２のキーワード「い」，Ｎｏ．６のキーワード「さ」，Ｎｏ．７のキーワード「し」が設定されているものとし、コンテンツＤについては、Ｎｏ．２のキーワード「い」とＮｏ．８のキーワード「た」，Ｎｏ．９のキーワード「ち」が設定されているものとしている。
【００２８】
なお、しおり情報は、メモリ４に記憶保存するものとしたが、サーバに送って保存させ、後述する検索画面の作成表示などの必要な場合に、サーバから読み取るようにしてもよい。但し、以下では、しおり情報がメモリ４に記憶保存されるものとして説明する。
【００２９】
しおり情報が付されたコンテンツは、再度視聴する場合には、しおり情報を用いて検索できる。以下、かかるコンテンツの検索のための画面表示について説明する。
【００３０】
図３は検索画面の表示の一連の動作を示すフローチャートである。以下、図１を参照して、動作を説明する。
【００３１】
表示部３での画像表示中、操作部によって検索画面表示のための操作をすると、図４に示すように、番組の映像画面上の所定の位置（ここでは、右上部分とする）にメニュー画面１３が表示され、検索画面の表示のための動作が開始する（ステップ１００）。このメニュー画面１３では、コンテンツの代表的なメタデータ１１と設定されているキーワードのリスト１２とが表示される。メタデータが表示されるコンテンツは、メモリ４で記憶されているしおり情報のうちの最も新しくしおり情報が作成されたコンテンツであって、図２では、コンテンツＡである。このコンテンツＡを、以下では、図４に示されるように、タイトル「京都の秋  ツアー」とする。また、しおり情報で設定されタイルキーワードを、その重み付け順に、「秋」，「旅」，「グルメ」，「京都」，「ツアー」としている。
【００３２】
このメニュー画面１３の内容を確認し、操作部でメニューボタンをＯＮ操作をすると（ステップ１０１の“Ｙｅｓ”）、表示部３に図５に示すコンテンツ情報表示画面の初期画面が表示される（ステップ１０２）。
【００３３】
図５は図３のステップ１０２で表示される初期のコンテンツ情報表示画面の一具体例を示す図であって、１４ａはこのコンテンツ情報表示画面、１５ａ〜１５ｅはキーワード軸、１６はコンテンツ表示個数設定部、１７はキーワード基準表示ボタン、１８は時間順基準表示ボタン、１９は位置基準表示ボタン、２０は新規追加ボタン、２１はキーワード軸設定画面である。
【００３４】
この最初に表示される初期画面のコンテンツ情報表示画面１４ａは、図５に示すように、キーワードに関してコンテンツを区分したもの（キーワード基準表示モード）である。このコンテンツ情報表示画面１４ａでは、各表示モードを設定するためのボタン、即ち、キーワード基準表示モードを選択するためのキーワード基準表示ボタン１７，時間順基準表示モードを選択するための時間軸基準表示ボタン１８及び位置基準表示モードを選択するための位置基準表示ボタン１９が設けられ、このキーワード基準表示モードは、キーワード基準表示ボタン１７が選択されることにより、設定されるが、図４に示す表示状態からの図５に示すコンテンツ情報表示画面１４ａの初期画面では、デフォルトとして、キーワード基準表示ボタン１７が選択されたキーワード基準表示モードにある。
【００３５】
なお、新たにオブジェクトやキーワード軸などを追加するための新規追加ボタン２０や、表示するコンテンツの個数を指定するコンテンツ個数設定釦１６も設けられている。
【００３６】
また、以上のコンテンツ個数設定釦１６や、表示モードを選択するためのキーワード基準表示ボタン１７，時間軸基準表示ボタン１８，位置基準表示ボタン１９、さらに、新規オブジェクト（キーワード軸など）を表示に追加するための新規追加ボタン２０は、後述するコンテンツ情報表示画面のいずれにおいても表示され、これらを操作して表示状態を変更することができる。
【００３７】
かかるキーワード基準表示モードでは、画面１４ａの中心位置Ｐに代表コンテンツであるコンテンツＡ（タイトル「京都の秋  ツアー」のコンテンツ）のアイコンが表示され、この代表コンテンツＡの位置からこの代表コンテンツＡに設定されているキーワードの軸１５ａ，１５ｂ，１５ｃ，１５ｄ，１５ｅが伸びており、夫々のキーワード軸毎にこのキーワードが設定されているコンテンツがアイコンで表示されている。
【００３８】
ここで、図５におけるキーワード，コンテンツと図２に示すキーワード，コンテンツとの対応が次の通りとする。
【００３９】
即ち、図５でのコンテンツＡ，Ｂ，Ｃ，Ｄは図２でのコンテンツＡ，Ｂ，Ｃ，Ｄに対応し、図５でのコンテンツＥは図２で省略している。また、図５でのキーワード「秋」のキーワード軸１５ａは図２におけるキーワード「あ」に対応し、以下、キーワード「京都」のキーワード軸１５ｂはキーワード「い」に、キーワード「グルメ」のキーワード軸１５ｃはキーワード「う」に、キーワード「旅」のキーワード軸１５ｄはキーワード「う」に、キーワード「ツアー」のキーワード軸１５ｅはキーワード「え」（図示せず）に夫々対応する。これにより、キーワード軸１５ａには、図２により、コンテンツＢ，Ｃが設定され、キーワード軸１５ｂには、コンテンツＤが設定され、キーワード軸１５ｃには、コンテンツＥが設定されている。
【００４０】
このコンテンツ情報表示画面１４ａで表示されるコンテンツの個数は、しおり情報が設定される日時が新しい順に、コンテンツ表示個数設定部１６によって設定されるものであるが、操作部の操作に応じて変更することができる。ここでは、「５個」が設定されており、これにより、しおり情報が設定される日時が新しい順に５個のコンテンツＡ〜Ｅが該当するキーワード軸１５ａ〜１５ｃに設定されている。
【００４１】
図６はＣＰＵ１０による図３のステップ１０２でのコンテンツ情報表示画面１４ａの表示処理の流れを示すフローチャートである。
【００４２】
また、図７は図６の各ステップの処理を示す図である。ここでは、３個のキーワードについて、図２に対応させて説明する。
【００４３】
図６において、操作部でメニューボタンがＯＮ操作されると、メモリ４に記憶されているしおり情報のリスクから最新の代表コンテンツＡのしおり情報が抽出され（ステップ１１０）、図７（ａ）に示すように、そのアイコンＡが画面の中央部Ｐに位置設定される（図６のステップ１１１）。そして、代表コンテンツＡのしおり情報から代表コンテンツＡのキーワード「あ」，「い」，「う」をもとに、その重み付けによる順序で、図７（ｂ）に示すように、これらキーワード毎に代表コンテンツＡから伸延するキーワード軸「あ」，「い」，「う」を設定し（図６のステップ１１２）、夫々のキーワード軸「あ」，「い」，「う」毎に、しおり情報が作成された新しい順でコンテンツを該当するキーワード軸に設定する（図６のステップ１１３）。
【００４４】
即ち、図２により、代表コンテンツＡの次に新しいコンテンツＢをキーワード軸に設定するのであるが、最も重み付けが大きいキーワードに該当するキーワード軸に設定する。このコンテンツＢでは、キーワード「あ」，「い」，「か」などが設定されているが、そのうちでキーワード「あ」の重み付けが最も大きいので、図７（ｃ）に示すように、キーワード軸「あ」にコンテンツＢのアイコンを設定する。キーワード「い」については、このコンテンツＢについてキーワード軸「あ」にアイコンが設定されるものであるから、コンテンツＢのアイコンを設定しない。即ち、各コンテンツでは、該当するキーワード軸のうちの重み付けが最大のキーワードに該当するキーワード軸にのみアイコンを設定するものである。
【００４５】
以下同様にして、図７（ｄ）に示すように、コンテンツＣのアイコンがキーワード軸「あ」に設定される。コンテツＤについては、キーワード「あ」，「い」，「う」を持たず、また、設定されるキーワード軸はキーワード軸「あ」，「い」，「う」のみであるから、図７（ｅ）に示すように、無視されてコンテンツ情報表示画面１４には表示されない。
【００４６】
図６において、コンテンツ情報表示画面１４ａに表示するコンテンツの個数がコンテンツ表示個数設定部１６（ず５）によって設定される個数に達するまでかかる処理が繰り返され（ステップ１１４）、この個数に達すると、図３におけるステップ１０２の処理が終了し、図５に示すコンテンツ情報表示画面１４ａが完成して表示されることになる。
【００４７】
次に、図５のように表示されているコンテンツのうちの代表コンテンツＡ以外のコンテンツのアイコンを選択すると（ステップ１０３：かかる選択は、図示しないカーソルのクリック操作によって行なわれる。なお、カーソルのダブルクリックでコンテンツを選択操作した場合には、表示画面では、選択されたコンテンツが表示画面に表示された画面に移る）、この選択されたコンテンツを中心点に配置した同様のコンテンツ情報表示画面が形成されて表示される（ステップ１０４）。
【００４８】
図８は図７に示す処理で形成されたコンテンツ情報表示画面１４での表示内容と図２に示すしおり情報との関係を示す図である。
【００４９】
同図において、△枠で囲んだキーワードは、キーワード軸として設定されるキーワードであり、ここでは、代表コンテンツＡに対するキーワード「あ」，「い」，「う」がキーワード軸として設定されることを示している。このようなキーワード軸が設定されるキーワードを持つコンテンツ（この場合、代表コンテンツＡ）がコンテンツ情報表示画面１４ａの中心に位置設定される。
【００５０】
○枠で囲んだキーワードは、該当するキーワード軸上にコンテンツが表示されるキーワードであって、ここでは、コンテンツＢ，Ｃがキーワード軸「あ」に、コンテンツＤがキーワード軸「い」に夫々表示されることを示している。
【００５１】
五角形枠で囲んだキーワードは、コンテンツ情報表示画面１４ａに設定されたキーワード軸のキーワードとは異なるキーワードであって、キーワード軸にコンテンツが表示されないことを示している。
【００５２】
以上のことから、代表コンテンツＡはコンテンツ情報表示画面の中央に表示されて、これからキーワード軸「あ」，「い」，「う」が伸びて表示され、コンテンツＢ，Ｃは、キーワード軸に表示されるが、キーワード軸「い」，「う」に表示されず、コンテンツＤは、キーワード軸「あ」，「う」に表示されないが、キーワード軸「い」に表示されることを示している。
【００５３】
図９はＣＰＵ１０による図３のステップ１０４でのコンテンツ情報表示画面１４の表示処理の流れを示すフローチャートである。
【００５４】
図９において、図５に示すコンテンツ情報表示画面１４ａで代表コンテンツＡ以外のコンテンツのアイコン、例えば、コンテンツＢがクリック選択されると（ステップ１２０）、メモリ４に記憶されているしおり情報のリスクからこの選択されたコンテンツＢのしおり情報が抽出され、図７（ａ）と同様、そのアイコンＢが画面の中央部に位置設定される（ステップ１２１）。そして、このコンテンツＢのしおり情報からこのコンテンツＢのキーワード「あ」，「か」，「き」をもとに、その重み付けによる順序で、図７（ｂ）と同様に、これらキーワード毎にコンテンツＢから伸延するキーワード軸「あ」，「い」，「か」，「き」を設定し（ステップ１２２）、図７（ｃ），（ｄ）と同様に、夫々のキーワード軸「あ」，「い」，「か」，「き」毎に、しおり情報が作成された新しい順で、代表コンテンツＡ，Ｃ，……の順でコンテンツを該当するキーワード軸に設定する（ステップ１２３）。このようにして、指定される個数のコンテンツが該当するキーワード軸に表示されることになり（ステップ１１４）、図３のステップ１０４の処理が終了する。
【００５５】
また、図３において、図５に示すようなコンテンツ情報表示画面１４ａで、上記のように、コンテンツ表示個数設定部１６をカーソルで選択して表示するコンテンツの個数を変更する操作を行なうと（ステップ１０５）、コンテンツ情報表示画面１４に表示されるコンテンツの個数が変更される（ステップ１０６）。
【００５６】
図１０は表示するコンテンツの個数を追加指示したときのコンテンツ情報表示画面の一具体例を示す図であって、ここでは、図５に示したコンテンツ情報表示画面１４ａのコンテンツ表示個数設定部１６で、例えば、「１０個」を指示した場合のものである。
【００５７】
このように、表示するコンテンツの個数を増加させる場合には、図５において、これまで表示されているコンテンツＡ〜Ｅの次にしおり情報が作成されたコンテンツの中から、表示されているコンテンツ軸１５ａ〜１５ｅのコンテンツを大きい重み付けで有するコンテンツをしおり情報のリストから検索し、これが存在する場合には、そのキーワードに該当するキーワード軸にアイコンを表示する。図１０に示すコンテンツ情報表示画面１４ｂでは、コンテンツＦ〜Ｊが夫々のキーワード軸１５ｂ，１５ｄ，１５ｅに追加された１０個のコンテンツを示す状態を示している。
【００５８】
また、図５に示すコンテンツ情報選択画面１４ａなどのコンテンツ情報選択画面において、コンテンツ個数設定部１６での個数を少なくすると、表示されるコンテンツの個数が少なくなるが、この個数を１個と指定した場合、表示されるのは表示画面の中央部に表示される最新の代表コンテンツＡのアイコンのみが表示された状態となる。但し、この場合には、図１１に示すように、ほぼ画面全体に拡大された代表コンテンツＡのアイコン２３とメニュー画面１３とが表示された特定キーワード表示画面２２が表示された状態となる。
【００５９】
なお、図１１に示すように、代表コンテンツのアイコンを拡大表示する場合には、アイコンに代えてこの代表コンテンツの画像を表示するようにしてもよい。
【００６０】
この特定キーワード表示画面２２でも、コンテンツ表示個数設定部１６やキーワード基準表示ボタン１７，時間順基準表示ボタン１８，位置基準表示ボタン１９，新規追加ボタン２０が設けられてこれらが操作可能であり、コンテンツ表示個数設定部１６を操作して表示するコンテンツの個数を、例えば、元の５個に設定すると、図５に示される元のコンテンツ情報表示画面１４ａに戻ることになる。
【００６１】
なお、図５に示されるコンテンツ情報表示画面１４ａなどのコンテンツ情報表示画面において、中央部に表示される代表コンテンツＡ以外のコンテンツ、例えば、コンテンツＢを図１１に示すように表示させる場合には、上記のように、このコンテンツＢのアイコンをカーソルで選択してクリックすることにより、このコンテンツＢをコンテンツ情報表示画面１４ａの中央部Ｐに表示させ、以下、同様にして、コンテンツ表示個数設定部１６で設定個数を１個とすればよい。
【００６２】
図５に示されるコンテンツ情報表示画面１４ａにおいては、その中央部に表示される最新の代表コンテンツＡのアイコンの近傍には、キーワード軸設定画面２１が表示されており、これにキーワード軸を構成するキーワードがカーソル（図示せず）の操作によって選択可能に表示されている。ここでは、キーワード「秋」，「京都」，「グルメ」，「旅」，「ツアー」の全てが選択されており、このため、これらのキーワード軸１５ａ〜１５ｅが設定されている。
【００６３】
ここで、これらキーワード軸１５ａ〜１５ｅのうちの１つ、例えば、キーワード，「旅」「ツアー」のキーワード軸１５ｅが不要な場合、キーワード軸設定画面２１でカーソルの操作によってキーワード「ツアー」の選択を解除すると、図１２に示すように、キーワード「旅」のキーワード軸１５ｄとキーワード「ツアー」のキーワード軸１５ｅとが削除されたコンテンツ情報表示画面１４ｃが表示される。
【００６４】
図１２に示すコンテンツ情報表示画面１４ｃでキーワード軸を追加する場合には、新規追加ボタン２０を操作することにより、このコンテンツ情報表示画面１４ｃ上に新規オブジォクト追加ウィンドウ２４が開き、これに追加するオブジェクト、例えば、キーワード「ツアー」，「旅」を書き込む（入力する）ことができる。そして、このキーワードを書き込み、「ＯＫ」ボタン２５を操作することにより、図５に示すようなこれらキーワード「ツアー」，「旅」のキーワード軸１５ｅ，１５ｄが追加され、これに該当するキーワードのコンテンツが表示された（図５では、かかるコンテンツが表示されていない）コンテンツ情報表示画面１４ａが表示されることになる。
【００６５】
なお、「キャンセル」ボタン２６が操作されると、入力されたキーワードが削除される。
【００６６】
以上のように、不要なキーワード軸を除いて、必要なキーワードに対してコンテンツの検索を可能とすることができるし、また、必要なキーワード軸が不足している場合には、それを追加することができて、必要なキーワードに対してコンテンツの検索を可能とすることができる。
【００６７】
ところで、図５に示すコンテンツ情報表示画面１４ａでは、例えば、キーワード「ツアー」のキーワード軸１５ｅが設けられているが、表示するコンテンツの個数が制限されていることなどにより、コンテンツが表示されていない。このようなコンテンツ軸１５ｅについて、これに関係するコンテンツをしりたいためには、キーワード軸設定画面２１において、このキーワード軸１５ｅのキーワード「ツアー」のみを選択すればよい。
【００６８】
図１４はこの場合のコンテンツ情報表示画面の一具体例を示す図であって、１４ｄはコンテンツ情報表示画面、２７はキーワードであり、前出図面に対応する部分には同一符号を付けて重複する説明を省略する。
【００６９】
同図において、このコンテンツ情報表示画面１４ｄには、キーワード「ツア」のキーワード軸１５ｅのみが表示され、このキーワード「ツアー」を持つコンテンツが、左側から、新しくしおり情報が付された順に配列表示される。そして、各コンテンツには、それに設定されているキーワードが、重み付けの大きさの順に表示される。
【００７０】
このようにして、表示される複数のキーワード軸のうちのコンテンツが表示されないキーワード軸に対しても、このキーワード軸のキーワードを持つコンテンツが配列表示されることになり、そのコンテンツを知ることができる。
【００７１】
図３に戻って、図５などに示すコンテンツ情報表示画面１５（１４ａ〜１４ｄ）で、時間軸基準表示ボタン１８もしくは位置基準表示ボタン１９が操作されて他の表示モードが選択された場合には（ステップ１０７）、選択された表示モードで表示が行なわれる（ステップ１０８）。そして、表示のＯＦＦ操作がなされるまで、設定された表示モードが行なわれる（ステップ１０９）。
【００７２】
次に、上記ステップ１０７で選択される上記キーワード基準表示モード以外の表示モードについて説明する。
【００７３】
例えば、図５に示されるコンテンツ情報表示画面１４ａ（他のコンテンツ情報表示画面でもよい）において、「時間順」基準表示ボタン１８が操作されると、図１５に示すように、例えば、コンテンツ情報表示画面１４ａ上に「時間順」基準表示画面２８のウィンドウが開かれる時間順表示モードが設定される。この「時間順」基準表示画面２８では、時間軸２９が表示され、この時間軸２９に沿ってしおり情報の設定日時が最も新しいコンテンツを最も右側に配置し、かかる設定日時が新しい順にコンテンツのアイコンが配列して表示される。そして、各コンテンツのアイコンには、メタデータ３１とともに、夫々が有するキーワード３０がその重み付けの強さ順に表示される。
【００７４】
かかる「時間順」基準表示画面２８は、ＣＰＵ１０（図１）により、メモリ４（図１）に記憶されている図２に示すしおり情報のリストから、しおり情報が作成された日時の新しい順にコンテンツが読み取られ（即ち、このリストでの順位で読み取られ）、処理されて作成される。
【００７５】
これにより、キーワードにとらわれず、新しいこのみのコンテンツを確認することができる。
【００７６】
また、例えば、図５に示されるコンテンツ情報表示画面１４ａにおいて（他のコンテンツ情報表示画面でもよい）、「位置」基準表示ボタン１９が操作されると、図１６に示すように、例えば、コンテンツ情報表示画面１４ａ上に「位置」基準表示画面３２のウィンドウが開かれる位置表示モードが設定される。この「位置」基準表示画面３２では、地図３３が表示され、この地図３３上にしおり情報の設定日時が最も新しい順にコンテンツ表示個数設定部１６で設定されている個数（ここでは、５個）のコンテンツＡ〜Ｅが表示される。
【００７７】
ここで、表示される地図３３は、表示されるコンテンツＡ〜Ｅのしおり情報が作成された日時で視聴したシーンでの場所を含む領域が表示されるものであって、コンテンツＡ〜Ｅのかかる場所は、図２に示すしおり情報の「位置」のキーワードから求められるものであり、また、かかる地図３３はメモリ４（図１）に格納されている地図情報から求める。
【００７８】
また、かかる地図３３としては、表示されるコンテンツＡ〜Ｅの場所を全てを含むものとしてもよいが（従って、かかる場所が日本全国に散らばっている場合には、日本地図とする）、各コンテンツ毎に異なる地図を表示するようにしてもよい。
【００７９】
このようにして、各コンテンツのシーンがどの場所のものであるかを知ることができるし、ユーザが希望する場所のシーンを持つコンテンツを求めることもできる。
【図面の簡単な説明】
【００８０】
【図１】本発明によるコンテンツ情報表示装置の一実施形態の構成を概略的に示すブロック図である。
【図２】図１におけるメモリに記憶保存されるコンテンツのしおり情報のリストを模式的に示す図である。
【図３】図１に示す実施形態での検索画面の表示の一連の動作を示すフローチャートである。
【図４】図３のステップ１００で表示されるメニュー画面の一具体例を示す図である。
【図５】図３のステップ１０２で表示されるコンテンツ情報表示画面の一具体例を示す図である。
【図６】図３のステップ１０２でのコンテンツ情報表示画面の表示処理の流れを示すフローチャートである。
【図７】図６の各ステップの処理を示す図である。
【図８】図７に示す処理で形成されたコンテンツ情報表示画面での表示内容と図２に示すしおり情報との関係を示す図である。
【図９】図３のステップ１０４でのコンテンツ情報表示画面の表示処理の流れを示すフローチャートである。
【図１０】図５に示すコンテンツ情報表示画面で表示するコンテンツの表示個数を増加させたときの表示状態を示す図である。
【図１１】図５に示すコンテンツ情報表示画面で表示するコンテンツの表示個数を１個としたときのキーワード表示画面を示す図である。
【図１２】図５に示すコンテンツ情報表示画面でキーワード軸が削除されたときのコンテンツ情報表示画面を示す図である。
【図１３】新規のキーワード軸を追加するための新規オブジェクト追加ウィンドウの一具体例を示す図である。
【図１４】図５に示すコンテンツ情報表示画面で１つのキーワード軸のみが選択されたときのコンテンツ情報表示画面を示す図である。
【図１５】図３のステップ１０８で表示される時間順表示モードでの表示画面の一具体例を示す図である。
【図１６】図３のステップ１０８で表示される位置表示モードでの表示画面の一具体例を示す図である。
【符号の説明】
【００８１】
１  コンテンツ情報表示装置
２  入力部
３  表示部
４  記憶部
５  ＣＰＵ
６  ＧＰＳ部
７  通信部
８  チューナ
９  しおりボタン
１０  ＣＰＵ
１１  メタデータ
１２  キーワードリスト
１３  メニュー画面
１４  コンテンツ情報表示画面
１５ａ〜１５ｅ  キーワード軸
１６  コンテンツ表示個数設定部
１７  キーワード基準表示ボタン
１８  時間順基準表示ボタン
１９  位置基準表示ボタン
２０  新規追加ボタン
２１  キーワード軸設定画面
２２  特定キーワード表示画面
２３  アイコン
２４  新規オブジォクト追加ウィンドウ
２５  「ＯＫ」ボタン
２６  「キャンセル」ボタン
２７  キーワード
２８  「時間順」基準表示画面
２９  時間軸
３０  キーワード
３１  メタデータ
３２  「位置」基準表示画面
３３  地図
【図１】
2008252530.tif 000003
【図２】
2008252530.tif 000004
【図３】
2008252530.tif 000005
【図４】
2008252530.tif 000006
【図５】
2008252530.tif 000007
【図６】
2008252530.tif 000008
【図７】
2008252530.tif 000009
【図８】
2008252530.tif 000010
【図９】
2008252530.tif 000011
【図１０】
2008252530.tif 000012
【図１１】
2008252530.tif 000013
【図１２】
2008252530.tif 000014
【図１３】
2008252530.tif 000015
【図１４】
2008252530.tif 000016
【図１５】
2008252530.tif 000017
【図１６】
2008252530.tif 000018